(57)【要約】      （修正有）【課題】各種の被収納物を収納して携帯することができる手提げ用袋に関し、手提げ用袋に高級感を付与することができ、また廃棄処分時に環境汚染等をもたらすこともなく、さらに把持する際に把手が指に食い込んで手に痛みを伴うようなことのない手提げ用袋を提供する。【解決手段】上面に開口部４を有する合成樹脂製又は紙製の袋本体１の、開口部４の周縁部に、竹製の１対の把手３が取り付けられていることを特徴とする。【選択図】図１
0003152452.tif 000002
【実用新案登録請求の範囲】
【請求項１】
上面に開口部（４）を有する合成樹脂製又は紙製の袋本体（１）の、前記開口部（４）の周縁部に、竹製の１対の把手（３）、（３）が取り付けられていることを特徴とする手提げ用袋。
【請求項２】
把手（３）が竹の地下茎で構成されている請求項１記載の手提げ用袋。
【請求項３】
把手（３）が逆Ｕ字状に湾曲して形成されている請求項１又は２記載の手提げ用袋。
【請求項４】
把手（３）が中空円筒状に形成されている請求項１乃至３のいずれかに記載の手提げ用袋。
【請求項５】
袋本体（１）の把手（３）、（３）の取付部に、補強片（６）が具備されている請求項１乃至４のいずれかに記載の手提げ用袋。
【請求項６】
袋本体（１）の把手（３）、（３）の取付部に孔（７）、（８）が穿設されているとともに、把手（３）、（３）に孔（１１）が穿設され、取付部の孔（７）、（８）と把手（３）、（３）の孔とに結束バンド（１０）が挿通されることによって、把手（３）、（３）が前記取付部に固定して取り付けられている請求項１乃至５のいずれかに記載の手提げ用袋。
【考案の詳細な説明】
【技術分野】
【０００１】
本考案は、各種の被収納物を収納して携帯することができる手提げ用袋に関する。
【背景技術】
【０００２】
一般に、この種の手提げ用袋は、袋本体の上部に把手が取り付けられた構成からなり、このような手提げ用袋の袋本体や把手の材質、形状には種々のものが用いられている。
【０００３】
たとえば下記特許文献１の出願においては、袋本体や把手の材質が合成樹脂製とされており、特許文献２の出願においては、袋本体や把手がクラフト紙で構成されており、特許文献３の出願においては、袋本体や把手の材質として、クラフト紙、合成樹脂の他、繊維製のものが開示されている。
【０００４】
しかし、このような合成樹脂製、紙製、繊維製の把手で手提げ用袋を構成した場合、安価に製作できる反面、手提げ用袋に高級感を付与することはできない。また、合成樹脂や合成繊維で把手が構成されていると、廃棄処分の際に燃焼等によって環境汚染等をもたらすこともある。
【０００５】
さらに、合成樹脂製や紙製の把手は、強度保持の観点から偏平に形成されることが多いが、そのように偏平な形状に形成された合成樹脂製や紙製の把手が具備された手提げ用袋を用いると、その偏平な把手が指に食い込んで手の痛みを伴う場合もある。
【先行技術文献】
【特許文献】
【０００６】
【特許文献１】特開２００８−１９５４３５号公報
【特許文献２】特開２００９−１２８４号公報
【特許文献３】特開２００７−１１２５０４号公報
【考案の概要】
【考案が解決しようとする課題】
【０００７】
本考案は、上述のような問題点を解決するためになされたもので、手提げ用袋に高級感を付与することができ、また廃棄処分時に環境汚染等をもたらすこともなく、さらに把持する際に把手が指に食い込んで手に痛みを伴うようなことのない手提げ用袋を提供することを課題とする。
【課題を解決するための手段】
【０００８】
本考案は、このような課題を解決するためになされたもので、上面に開口部を有する合成樹脂製又は紙製の袋本体の、前記開口部の周縁部に、竹製の１対の把手が取り付けられていることを特徴とする手提げ用袋を提供するものである。
【０００９】
竹製の把手としては、好ましくは竹の地下茎が用いられる。また、把手の形状は特に限定されるものではないが、たとえば逆Ｕ字状に湾曲して形成することができる。竹の地下茎を用いた場合には、このように逆Ｕ字状に湾曲して形成する加工を容易に行うことができる。また、把手は、たとえば中空円筒状に形成することができる
【００１０】
さらに、袋本体の把手の取付部に、補強片が設けられていることが望ましい。このような補強片が設けられることで、把手の取付強度が維持され、把手が袋本体から離脱するのが好適に防止されることとなる。
【００１１】
より具体的な把手の取付構造として、袋本体の把手の取付部に孔が穿設されているとともに、把手に孔が穿設され、取付部の孔と把手の孔とに結束バンドが挿通されることによって、把手が取付部に固定して取り付けられているような構成を採用することができる。
【考案の効果】
【００１２】
本考案は、上述のように、上面に開口部を有する合成樹脂製又は紙製の袋本体の、前記開口部の周縁部に、竹製の１対の把手が取り付けられているものであるため、把手が合成樹脂製や紙製の従来の手提げ用袋に比べると、手提げ用袋に高級感を現出させることができるという効果がある。
【００１３】
特に、把手の素材に竹の地下茎の部分を用いた場合には、細い素材のものを選定することで、複数の節を具備している等によってそれ自体が竹の素材感を充分に現出させることができ、より優れた高級感を現出させることが可能となる。
【００１４】
また、把手の素材に竹の地下茎の部分を用いた場合には、たとえば逆Ｕ字状に湾曲させて加工する等、把手に適合した形状に加工する作業を容易に行うことができるという効果がある。
【００１５】
また、このような手提げ用袋を廃棄処分するような場合にも、把手の部分を袋本体から分別し、竹製の把手の部分のみの有効利用を図るようなことも可能である。さらに、把手の部分を再利用せずに廃棄する場合でも、竹製であることから土中等で分解させることもでき、合成樹脂製の把手を用いた手提げ用袋のように環境汚染等をもたらすおそれもない。
【００１６】
さらに、把手が竹製のものであり、樹木等を素材として利用するものではないので、森林伐採等を必要とせず、環境破壊をもたらすこともない。
【００１７】
さらに、把手が竹製であるため、把持した場合に指に食い込む等によって、手に痛みを感じさせるようなこともない。特に、竹の地下茎の部分等、細い素材の中空円筒状のものを選定した場合には、非常に把持し易く、指に食い込むことが全くないので、手に痛みを感じさせない効果が一層良好となる。
【００１８】
さらに、袋本体の把手の取付部に補強片を設けた場合には、把手の取付強度が維持され、把手が袋本体から離脱するのが好適に防止することができる。
【図面の簡単な説明】
【００１９】
【図１】一実施形態としての手提げ用袋の正面図。
【図２】同底面図。
【図３】図１のＡ−Ａ線断面図。
【図４】図１のＢ−Ｂ線断面図。
【図５】図１のＣ−Ｃ線断面図。
【図６】把手の取付状態を袋の内側から示す要部拡大正面図。
【図７】図６のＤ−Ｄ線断面図。
【図８】結束バンドを示す正面図。
【図９】袋の使用状態を示す縦断面図。
【図１０】同横断面図。
【考案を実施するための形態】
【００２０】
以下、本考案の実施形態について、図面に従って説明する。
本考案の手提げ用袋は、上述のように、上面に開口部を有する合成樹脂製又は紙製の袋本体の、前記開口部の周縁部に、竹製の１対の把手が取り付けられた構成からなるものである。
【００２１】
把手の素材として用いられる竹の種類は特に限定されるのではなく、たとえばマダケ（Phyllostachys bambusoides）、モウソウチク（Phyllostachys heterocycla）、ハチク（Phyllostachys nigra）、ホテイチク（Phyllostachys aurea）、キッコウチク（Phyllostachys heterocycla）、ホウライチク（Bambusa multiplex1）、ナリヒラダケ（Semiarundinaria fastuosa）、チシマザサ（ネマガリダケ）（Sasa kurilensis）、トウチク（Sinobambusa tootsik）、シホウチク（Chimonobambusa  quadrangularis）、カンチク（Chimonobambusa marmorea）、ヤダケ（Pseudosasa  japonica）、メダケ（Pleioblastus simonii）等を用いることができる。
【００２２】
さらに、把手に用いる竹の部位も特に限定されるものではないが、細い素材のものを選定し易いことから、竹の地下茎を用いることが望ましい。また、把手の形状も特に限定されるものではないが、たとえば逆Ｕ字状に湾曲して形成することができる。竹の地下茎を用いた場合には、このように逆Ｕ字状に湾曲して形成する加工を容易に行うことができる。
【００２３】
このような逆Ｕ字状に湾曲して形成した上で、その下端部をさらに外向きに折り曲げたような形状とすることもできる。さらにはフック状や、略楕円形状等に形成することも可能である。ただし、素材である竹を折り曲げつつ湾曲させるように加工することになるので、そのような加工を行い易い形状にすることが望ましい。
【００２４】
袋本体の材質としては、合成樹脂又は紙が用いられる。合成樹脂としては、たとえばポリエチレン、ポリプロピレン等のポリオレフィン系樹脂、ポリエチレンテレフタレート等のポリエステル樹脂、ポリアミド系樹脂、酢酸ビニル系樹脂、フッ素系樹脂等の素材を用いることができる。このうちでも、汎用性が高く、安価に製作できることから、ポリエチレンを好適に使用することができる。
【００２５】
また、紙の種類も限定されるものではなく、たとえば上質紙、グラシン紙、クラフト紙、クルパック紙、クレープ紙、クレーコート紙、トップコート紙、洋紙、和紙等の種々のものを使用することができる。また再生紙のようなものを用いることもできる。
【００２６】
袋本体の形態も特に限定されるものではなく、たとえば袋本体の側片や底片に折込部を形成して被包装物の厚みに応じて展開可能としたような構成をものとすることができ、またこのような折込部が袋本体の側片や底片に存在せず、袋本体の表裏両片が側縁や底縁で溶着などによってシールされた偏平な形態の袋とすることもできる。
【００２７】
さらに、袋本体の把手の取付部に、補強片を設けることも可能である。このような補強片を設けることで、把手の取付強度が維持され、把手が袋本体から離脱するのが好適に防止される。把手の取付構造としては、たとえば袋本体の把手の取付部に孔を穿設するとともに把手に孔を穿設し、取付部の孔と把手の孔とに結束バンドを挿通することによって、把手を取付部に固定して取り付けるような構成を採用することができる。
【００２８】
また、このように袋本体の取付部や把手に孔を穿設し、その孔に結束バンドを挿通して把手を取付部に取り付ける構成に代えて、ボルト状の止具を把手に挿通させて袋本体の取付部に取り付けることも可能である。
【００２９】
尚、上記のような手提げ用袋を製造する場合、所定の寸法に形成して準備された竹を、アルカリに浸漬して加熱した後、略Ｕ字状に折り曲げて所定時間放置して乾燥し、次に乾燥された竹を、焦げ色が付与されるように焼成し、その後、仕上げ剤を塗布することによって、竹製の把手を形成し、形成された竹製の把手を、製袋された袋本体の開口部の周縁部に取り付けることによって製造する製造方法を採用することができる。
【００３０】
所定の寸法に形成して竹を準備する工程では、２本で１対の竹が、１つの手提げ用袋の把手の製造用として準備され、複数の手提げ用袋を製造するために、このような竹が複数対準備されることとなる。製造後の把手の寸法を略同寸に揃えるために、このように準備される複数対の竹の長さも揃える必要がある。
【００３１】
上記のような製造方法に必須の工程ではないが、準備された竹の枝毛を除去することが望ましい。このような枝毛の除去は、たとえばローラー等によって行われる。                
【００３２】
次に、枝毛が除去された竹を、アルカリに浸漬して加熱する。このようなアルカリとしては、たとえば水酸化ナトリウムのようなものが用いられる。このようにアルカリに浸漬して加熱することで、竹から水分と油分が除去されることとなり、さらに害虫も竹から除去されることとなる。
【００３３】
このようにして、水酸化ナトリウムに浸漬、加熱された竹は、ある程度柔らかくなり、柔らかさが保持されている間に略Ｕ字状に折り曲げ、所定時間放置して竹を乾燥させる。このように柔らかくなった竹を略Ｕ字状に折り曲げ、所定時間放置して乾燥させることで、竹の略Ｕ字状の形状が維持されることとなる。この場合、竹を略Ｕ字状に折り曲げ、所定時間放置して竹を乾燥させる工程において、折り曲げられた竹の両端部の近辺に糸を掛け回しておくことが望ましい。このように糸を掛け回すことで、竹の略Ｕ字状の形状がより確実に維持されることとなる。
【００３４】
次に、略Ｕ字状に折り曲げられて乾燥された竹の両端部側を切断する。この際、糸が掛け回わされた部分が除去されるように竹を切断する。この場合、竹は所定時間放置、乾燥されているので、上記のような略Ｕ字状の形状が維持されており、水酸化ナトリウムに浸漬、加熱する前のような真っ直ぐな状態に復元するようなこともない。
【００３５】
このように竹の両端部側を切断する工程は、上記のような手提げ袋の製造方法に必須野工程ではないが、このような切断工程を行わない場合には、折り曲げる工程の前に竹を準備する場合に、製造後の把手の寸法を考慮して準備しなければならず、この段階で寸法を設定するのは容易ではないため、略Ｕ字状に折り曲げられて乾燥された後に竹の両端部側を切断するのが望ましい。
【００３６】
次に、略Ｕ字状の形状に形成された竹を焼成する。このような竹の焼成は、たとえばバーナーによって行われ、製造後の袋の把手の外観に適した適度な焦げ色が付与されることとなる。このような適度な焦げ色を付与するとともに、この竹の焼成工程においては、細い枝毛の毛羽が除去される。すなわち、上記のようなローラー等による枝毛の除去工程では、ある程度の長さの枝毛を除去することはできるが、毛羽のような細い枝毛まで除去することはできず、竹の焼成工程において、そのような細い枝毛が除去されることとなる。
【００３７】
このようにして竹を焼成した後、焼成された竹の表面に仕上げ剤を塗布する。仕上げ剤としては、たとえばニスのようなものが用いられる。この場合、仕上げ剤は、１回のみ塗布することも可能ではあるが、仕上げ後の竹の表面の外観を良好とするためには、仕上げ剤を２回塗布することが望ましい。また、この場合、仕上げ剤の塗布作業中に、略Ｕ字状に折り曲げられた竹が復元するのを防止するために、竹の両端部側に糸を掛け回しておくのが望ましい。
【００３８】
以上のようにして、略Ｕ字状に折り曲げられてその形状が維持され、適度な焦げ色に焼成され、仕上げ剤が塗布された竹を、予め製袋された袋本体の開口部の周縁部に取り付けることによって、上記のような手提げ用袋が製造されることとなるのである。
【００３９】
以下、本考案のより具体的な実施形態について、図面に従って説明する。
【００４０】
一実施形態の手提げ用袋は、図１乃至図５に示すように、被収納物を収納しうる収納部２を有する袋本体１と、該袋本体１の上部に取り付けられた１対の把手３、３とで構成されている。
【００４１】
そして、前記袋本体１は、相互に対面する表片１ａ及び裏片１ｂ、該表片１ａ及び裏片１ｂの側部に連設されている側片１ｃ、及び該表片１ａ及び裏片１ｂの底部に連設されている底片１ｄによって構成されている。袋本体１は、全体が合成樹脂製シートによって構成されており、本実施形態では、袋本体１を構成する合成樹脂として、ポリエチレンが用いられている。ただし、ポリエチレンに代えてポリプロピレン等の他の合成樹脂を用いることも可能である。
【００４２】
袋本体１の上部の表片１ａと裏片１ｂとの間には開口部４が形成されている。そして、該開口部４の端縁において前記表片１ａ及び裏片１ｂが内向きに折り曲げられているとともに、折り曲げられた折曲片５ａ、５ｂの内側に、図３に示すように紙製の補強片６、６が介装されている。
【００４３】
前記折曲片５ａ、５ｂの内側に補強片６、６が介装された袋本体１の上部には、図１に示すように、大径及び小径の孔７、８が左右に１対ずつ穿設されている。そして、大径の孔７には、図６に示すように鳩目９が装着されている。この大径及び小径の孔７、８には、図１、図６、図７等に示すように、把手３を固定するための結束バンド１０が挿通されている。
【００４４】
この結束バンド１０は、図８に示すように、細長い胴部１０ｂの上部に該胴部１０ｂよりも幅広な頭部１０ａが形成され、前記胴部１０ｂの下部の先端部１０ｃが先鋭な形状に形成されたものである。図８には図示されていないが、結束バンド１０の頭部１０ａには、下部の先端部１０ｃを頭部１０ａ側に戻すように胴部１０ｂを曲げた状態において、該先端部１０ｃが挿入されるような孔が穿設されている。この孔は、挿入方向に先端部１０ｃが挿入されることは許容するが、その挿入方向と逆方向への先端部１０ｃの抜け出しを好適に禁止しうるような、いわゆる逆止的な機能を有するものである。結束バンド１０は、全体が合成樹脂で構成されている。合成樹脂としては、ポリアミド、ポリエステル、ポリエチレン、ポリプロピレン等のものを用いることができる。
【００４５】
把手３は、図１に示すように、竹の地下茎の部分を逆Ｕ字状に折り曲げることによって構成されている。竹の地下茎の部分を用いているので、図１、図３、図６等に示すように、複数箇所に節１２が形成されている。この把手３は、図７に示すように断面が円形となる中空状に形成されたものであり、同図のように左右に１対の孔１１、１１が穿設されている。そして、この孔１１、１１に前記結束バンド１０が挿通されている。
【００４６】
すなわち、図７に示すように、結束バンド１０の胴部１０ｂが、袋本体１の上部の大径の孔７に挿通されているとともに、把手３の１対の孔１１、１１に挿通され、さらに袋本体１の上部の小径の孔８に挿通されて、該結束バンド１０の先端部１０ｃを頭部１０ａ側に戻すように胴部１０ｂを曲げ、その先端部１０ｃが頭部１０ａの孔（図示せず）に挿入されることによって、把手３が袋本体１の折曲片５ｂの外側で固定されることとなるのである。
【００４７】
尚、図７では、袋本体１の裏片１ｂの折曲片５ｂ側に把手３を取り付ける場合について説明しているが、袋本体１の表片１ａの折曲片５ａ側にも、同様に結束バンド１０が大径の孔７及び小径の孔８、並びに把手３の１対の孔１１、１１に挿通されることによって、把手３が取り付けられることとなる。
【００４８】
袋本体１の側片１ｃ、側片１ｃには、図４に示すようにそれぞれ折込部１３、１３が形成されている。このような折込部１３、１３が形成されていることによって、被包装物の厚みに応じて袋本体１が展開可能となる。
【００４９】
さらに、袋本体１の底片１ｄは、図２に示すように幅広に形成され、合成樹脂製シートの底縁１４ａ、１４ｂを熱溶着等でシールすることによって封止されている。この袋本体１の底片１ｄの上部には、紙製の底板１５が載置されている。そして、このように底片１ｄの上部に載置された底板１５を、上部側から保持するために、袋本体１の表片１ａ及び裏片１ｂの下部が外側に折り曲げられて底板保持片１６ａ、１６ｂが形成されている。このような底板保持片１６ａ、１６ｂが形成されることによって、底板１５は、図３に示すように、袋本体１の底片１ｄと底板保持片１６ａ、１６ｂ間に介装された状態となる。
【００５０】
また底片１ｄの上部側には、前記側片１ｃに形成された折込部１３、１３と略同幅の折込部１７、１７が左右に形成されている。この折込部１７、１７は、前記側片１ｃの折込部１３、１３と略同幅に形成されることから、図２及び図５に示すように、底片１ｄにおける前記側片１ｃに近い側にのみ形成されている。
【００５１】
この折込部１５、１５は、図５に示すように、上部の折込片１５ａ及び下部の折込片１５ｂによって構成されている。すなわち、折込部１５が形成されている袋本体１の底部においては、図５に示すように、底板保持片１６ａ若しくは底板保持片１６ｂ、上部の折込片１５ａ、下部の折込片１５ｂ、及び底片１ｄの４重構造とされており、従って底板１５は、同図のように、底片１ｄと底板保持片１６ａ、１６ｂ間のみならず、上部の折込片１５ａ及び下部の折込片１５ｂ間においても保持された状態となっている。
【００５２】
これに対して、折込部１５が存在しない底片１ｄの中央に近い部分では、上記図３に示すように、底板１５は底片１ｄと底板保持片１６ａ、１６ｂ間のみに介装された状態となっている。
【００５３】
そして、このような構成からなる手提げ用袋を使用する場合には、側片１ｃの折込部１３、１３を展開するとともに、底片１ｄの上部側の折込部１７、１７を展開し、袋本体１の収納部２内に被収納物１８を収納する。
【００５４】
このように袋本体１の収納部２内に被収納物１８が収納された状態において、使用者は把手３を把持することによって手提げ用袋として使用することができる。
【００５５】
この場合において、本実施形態では、把手３が竹の地下茎によって構成されているので、細い素材のものを選定することで、図１に示すように逆Ｕ字状に湾曲させて加工する作業を容易に行うことができ、また複数の節１２を具備しているので、全体として手提げ用袋に高級感を現出させることができる。
【００５６】
また、このような手提げ用袋を廃棄処分するような場合にも、把手３の部分を袋本体１から分別し、竹製の把手の部分のみの有効利用を図るようなことも可能である。さらに、把手の部分を再利用せずに廃棄する場合でも、竹製であることから土中等で分解させることもでき、環境汚染等をもたらすこともない。
【００５７】
さらに、把手３が竹製のものであり、樹木等を素材として利用するものではないので、森林伐採等を必要とせず、環境破壊をもたらすこともない。
【００５８】
さらに、把手３が竹製であるとともに、中空円筒状に形成されているので、把持し易く、把持した場合に指に食い込む等によって、手に痛みを感じさせるようなこともないのである。
【００５９】
さらに、袋本体１の開口部４の端縁において表片１ａ及び裏片１ｂが内向きに折り曲げられているとともに、折り曲げられた折曲片５ａ、５ｂの内側に紙製の補強片６、６が介装され、そのように補強片６、６が介装された部分において、大径の孔７と小径の孔８を表片１ａ及び裏片１ｂの左右に１対ずつ、表裏両片１ａ、１ｂにおいて計２対穿設し、また把手３の左右に１対の孔１１、１１を穿設し、これら把手３の孔１１、１１と、袋本体１の大径の孔７と小径の孔８に結束バンド１０を挿通させて把手３、３を取り付けたので、把手３は、袋本体１から離脱することなく、確実に取り付けられることとなる。
【００６０】
特に、各孔に挿通される結束バンド１０は、頭部１０ａに先端部１０ｃが挿入されるような孔が穿設されており、その孔の挿入方向に先端部１０ｃが挿入されることは許容するが、その挿入方向と逆方向への先端部１０ｃの抜け出しを好適に禁止しうるような、いわゆる逆止的な機能を有するものであるため、結束バンド１０も把手３から離脱するようなことがなく、把手３の袋本体１からの離脱をより確実に防止することができる。
【符号の説明】
【００６１】
１  袋本体
３  把手
４  開口部
６  補強片
７  孔
８  孔
１０  結束バンド
１１  孔
【図１】
0003152452.tif 000003
【図２】
0003152452.tif 000004
【図３】
0003152452.tif 000005
【図４】
0003152452.tif 000006
【図５】
0003152452.tif 000007
【図６】
0003152452.tif 000008
【図７】
0003152452.tif 000009
【図８】
0003152452.tif 000010
【図９】
0003152452.tif 000011
【図１０】
0003152452.tif 000012